(57)【要約】【課題】レンズ駆動を安定させること。【解決手段】本発明のレンズ駆動装置は、レンズバレルをレンズの光軸方向に沿って可動させるボイスコイルモータと、レンズバレルのレンズの光軸方向に沿った可動をガイドするガイド機構と、を備える。上記ガイド機構は、レンズバレルの周囲の所定箇所に配置されたメインガイド部と、レンズバレルの反対側に位置する他の箇所に配置されたサブガイド部と、を備える。そして、ボイスコイルモータは、ヨークが磁石に引き寄せられる磁力により、レンズバレルをメインガイド部に押しつける力と、レンズバレルがサブガイド部を介してハウジングを引っ張る力と、を付勢するよう構成されている。【選択図】図１
2019113638.tif 000002
【特許請求の範囲】
【請求項１】
レンズを装備するレンズバレルと、
前記レンズバレルの周囲を囲って、当該レンズバレルを収容するハウジングと、
前記ハウジングに対して前記レンズバレルを前記レンズの光軸方向に沿って可動させるボイスコイルモータと、
前記ハウジングに対する前記レンズバレルの前記レンズの光軸方向に沿った可動をガイドするガイド機構と、
を備え、
前記ガイド機構は、前記レンズバレルの周囲の所定箇所に配置されたメインガイド部と、当該メインガイド部が配置された前記レンズバレルの周囲の所定箇所に対して当該レンズバレルの反対側に位置する他の箇所に配置されたサブガイド部と、を備え、
前記ボイスコイルモータは、前記ハウジング又は前記レンズバレルのうち一方に磁石を備えると共に他方にコイル及びヨークを備え、前記ヨークが前記磁石に引き寄せられる磁力により、前記レンズバレルを前記メインガイド部に押しつける力と、前記レンズバレルが前記サブガイド部を介して前記ハウジングを引っ張る力と、を付勢するよう構成されている、
レンズ駆動装置。
【請求項２】
請求項１に記載のレンズ駆動装置であって、
前記サブガイド部は、前記ハウジングの内側面に形成された凹部内に収容され、当該凹部内を前記レンズの光軸方向に沿って可動する収容部材を備えると共に、当該収容部材が、前記凹部の内部側に係止されて前記レンズバレル側に引っ張られるよう構成されている、
レンズ駆動装置。
【請求項３】
請求項２に記載のレンズ駆動装置であって、
前記凹部の開口部は、当該凹部の内部空間よりも断面積が狭く形成されている、
レンズ駆動装置。
【請求項４】
請求項２又は３に記載のレンズ駆動装置であって、
前記サブガイド部は、前記凹部内に収容される前記収容部材であるサブガイドボールと、前記レンズバレルに連結し前記サブガイドボールを前記レンズの光軸方向に沿って回転可能なよう保持する保持部と、前記サブガイドボールを前記レンズバレル側に引っ張る引っ張り部材と、と備えた、
レンズ駆動装置。
【請求項５】
請求項４に記載のレンズ駆動装置であって、
前記保持部は、前記レンズバレルの外周から前記凹部の内部空間に挿入されるよう延びて構成されており、前記レンズの光軸方向に沿って前記サブガイドボールを挟んで保持すると共に、当該保持部の延びている方向に沿って前記サブガイドボールが移動可能なよう保持しており、
前記引っ張り部材は、前記サブガイドボールを磁力によって前記レンズバレル側に引っ張る磁石により構成されると共に、前記ハウジングの前記凹部よりも前記レンズバレル側に位置する前記保持部の根本付近に配置されている、
レンズ駆動装置。
【請求項６】
請求項１乃至５のいずれかに記載のレンズ駆動装置であって、
前記レンズバレルを収容した前記ハウジングを、前記レンズの光軸方向に対する垂直方向に可動させる第２のボイスコイルモータをさらに備え、
２つの前記ボイスコイルモータを、略矩形形状である前記レンズバレルの外周の隣り合う２辺付近にそれぞれ配置し、
２つの前記第２のボイスコイルモータを、前記ボイスコイルモータが配置されている箇所とは異なる前記レンズバレルの外周の隣り合う２辺付近にそれぞれ配置し、
前記メインガイド部を、２つの前記ボイスコイルモータが配置された前記レンズバレルの外周の隣り合う２辺で挟まれた角付近に配置し、
前記サブガイド部を、前記メインガイド部が配置された前記レンズバレルの角に対して対角線上に位置する他の角付近であり、２つの前記第２のボイスコイルモータが配置された前記レンズバレルの外周の隣り合う２辺で挟まれた角付近に配置した、
レンズ駆動装置。
【請求項７】
請求項６に記載のレンズ駆動装置を２つ隣接して備えたカメラモジュールであって、
２つの前記レンズ駆動装置は、当該レンズ駆動装置同士が隣接して位置する辺に、少なくとも１つの前記第２のボイスコイルモータが位置しないよう、配置されている、
カメラモジュール。
【請求項８】
請求項７に記載のカメラモジュールであって、
２つの前記レンズ駆動装置は、当該レンズ駆動装置同士が隣接して位置する辺に、２つの前記第２のボイスコイルモータが位置しないよう、配置されている、
カメラモジュール。
【発明の詳細な説明】
【技術分野】
【０００１】
本発明は、レンズ駆動装置にかかり、特に、オートフォーカス機能を有するレンズ駆動装置に関する。
【背景技術】
【０００２】
近年のスマートフォンやタブレット端末などの情報処理端末は、画像撮影用に小型のカメラモジュールを搭載している。このようなカメラモジュールは、被写体を撮影するときのピント合わせを自動的に行うオートフォーカス機能と、撮影時に生じる手振れを光学的に補正して画像の乱れを軽減する振れ補正機能と、を有するレンズ駆動装置を備えている。
【０００３】
レンズ駆動装置のオートフォーカス機能は、例えば、特許文献１に示すように、マグネットとコイルとによるボイスコイルモータによって実現される。このボイスコイルモータの駆動力を用いて、レンズを光軸方向に沿って往復可動している。これに伴い、レンズ駆動装置は、オートフォーカス機能によるレンズの光軸方向に沿った往復可動を、周囲に配置されたガイドボールによって支持している。
【先行技術文献】
【特許文献】
【０００４】
【特許文献１】特開２０１５−１８０９３７号公報
【発明の概要】
【発明が解決しようとする課題】
【０００５】
ここで、上述したオートフォーカス機能を有するレンズ駆動装置では、光軸方向に沿った可動時に、レンズを安定して往復可動させる必要がある。つまり、可動に伴いレンズの光軸が振れることを抑制する必要がある。このため、往復可動時におけるレンズの安定性の向上を図ることが望まれている。
【課題を解決するための手段】
【０００６】
本発明の一形態であるレンズ駆動装置は、
レンズを装備するレンズバレルと、
前記レンズバレルの周囲を囲って、当該レンズバレルを収容するハウジングと、
前記ハウジングに対して前記レンズバレルを前記レンズの光軸方向に沿って可動させるボイスコイルモータと、
前記ハウジングに対する前記レンズバレルの前記レンズの光軸方向に沿った可動をガイドするガイド機構と、
を備え、
前記ガイド機構は、前記レンズバレルの周囲の所定箇所に配置されたメインガイド部と、当該メインガイド部が配置された前記レンズバレルの周囲の所定箇所に対して当該レンズバレルの反対側に位置する他の箇所に配置されたサブガイド部と、を備え、
前記ボイスコイルモータは、前記ハウジング又は前記レンズバレルのうち一方に磁石を備えると共に他方にコイル及びヨークを備え、前記ヨークが前記磁石に引き寄せられる磁力により、前記レンズバレルを前記メインガイド部に押しつける力と、前記レンズバレルが前記サブガイド部を介して前記ハウジングを引っ張る力と、を付勢するよう構成されている、
という構成をとる。
【０００７】
また、上記レンズ駆動装置では、
前記サブガイド部は、前記ハウジングの内側面に形成された凹部内に収容され、当該凹部内を前記レンズの光軸方向に沿って可動する収容部材を備えると共に、当該収容部材が、前記凹部の内部側に係止されて前記レンズバレル側に引っ張られるよう構成されている、
という構成をとる。
【０００８】
また、上記レンズ駆動装置では、
前記凹部の開口部は、当該凹部の内部空間よりも断面積が狭く形成されている、
という構成をとる。
【０００９】
また、上記レンズ駆動装置では、
前記サブガイド部は、前記凹部内に収容される前記収容部材であるサブガイドボールと、前記レンズバレルに連結し前記サブガイドボールを前記レンズの光軸方向に沿って回転可能なよう保持する保持部と、前記サブガイドボールを前記レンズバレル側に引っ張る引っ張り部材と、と備えた、
という構成をとる。
【００１０】
また、上記レンズ駆動装置では、
前記保持部は、前記レンズバレルの外周から前記凹部の内部空間に挿入されるよう延びて構成されており、前記レンズの光軸方向に沿って前記サブガイドボールを挟んで保持すると共に、当該保持部の延びている方向に沿って前記サブガイドボールが移動可能なよう保持しており、
前記引っ張り部材は、前記サブガイドボールを磁力によって前記レンズバレル側に引っ張る磁石により構成されると共に、前記ハウジングの前記凹部よりも前記レンズバレル側に位置する前記保持部の根本付近に配置されている、
という構成をとる。
【００１１】
また、上記レンズ駆動装置では、
前記レンズバレルを収容した前記ハウジングを、前記レンズの光軸方向に対する垂直方向に可動させる第２のボイスコイルモータをさらに備え、
２つの前記ボイスコイルモータを、略矩形形状である前記レンズバレルの外周の隣り合う２辺付近にそれぞれ配置し、
２つの前記第２のボイスコイルモータを、前記ボイスコイルモータが配置されている箇所とは異なる前記レンズバレルの外周の隣り合う２辺付近にそれぞれ配置し、
前記メインガイド部を、２つの前記ボイスコイルモータが配置された前記レンズバレルの外周の隣り合う２辺で挟まれた角付近に配置し、
前記サブガイド部を、前記メインガイド部が配置された前記レンズバレルの角に対して対角線上に位置する他の角付近であり、２つの前記第２のボイスコイルモータが配置された前記レンズバレルの外周の隣り合う２辺で挟まれた角付近に配置した、
という構成をとる。
【００１２】
また、本発明では、上記レンズ駆動装置を２つ隣接して備えたカメラモジュールを提供しており、
２つの前記レンズ駆動装置は、当該レンズ駆動装置同士が隣接して位置する辺に、少なくとも１つの前記第２のボイスコイルモータが位置しないよう、配置されている、
という構成をとる。
【００１３】
また、上記カメラモジュールでは、
２つの前記レンズ駆動装置は、当該レンズ駆動装置同士が隣接して位置する辺に、２つの前記第２のボイスコイルモータが位置しないよう、配置されている、
という構成をとる。
【発明の効果】
【００１４】
本発明のレンズ駆動装置によると、レンズバレルがメインガイド部に押しつけられると共に、レンズバレルがサブガイド部を介してハウジングを引っ張る状態で、当該レンズバレルの光軸方向の可動がガイドされる。このため、ハウジング内におけるレンズバレルの光軸方向に対する垂直方向の位置が安定することとなり、レンズ可動の安定性の向上を図ることができる。
【図面の簡単な説明】
【００１５】
【図１】本発明の第１の実施形態におけるカメラモジュールの構成を示す図である。
【図２】図１に開示したカメラモジュールの一部の構成を示す拡大図である。
【図３】図２に開示したカメラモジュールの一部の構成部品を示す図である。
【図４】図１に開示したカメラモジュールの動作を示す図である。
【図５】図１に開示したカメラモジュールの動作を示す図である。
【図６】本発明の第２の実施形態おけるカメラモジュールの配置の一例を示す図である。
【図７】本発明の第２の実施形態おけるカメラモジュールの配置の一例を示す図である。
【図８】本発明の第２の実施形態おけるカメラモジュールの配置の一例を示す図である。
【発明を実施するための形態】
【００１６】
＜実施形態１＞
本発明の第１の実施形態を、図１乃至図５を参照して説明する。図１乃至図３は、カメラモジュールの構成を示す図である。図４乃至図５は、カメラモジュールの動作を示す図である。
【００１７】
本発明におけるカメラモジュールは、例えば、スマートフォンやタブレット端末などの情報処理端末に搭載される画像撮影用のものである。但し、本発明におけるカメラモジュールは、必ずしも情報処理端末に搭載されることに限定されず、他の電子機器や様々な機器に搭載されてもよい。
【００１８】
本発明におけるカメラモジュールは、被写体を撮影するときのピント合わせを自動的に行うオートフォーカス機能と、撮影時に生じる手振れを光学的に補正して画像の乱れを軽減する振れ補正機能と、を有するレンズ駆動装置１を備えている。以下、主に、オートフォーカス機能と振れ補正機能とを実現するレンズ駆動装置１の構成を説明する。なお、レンズ駆動装置１は、本実施形態において例示する機能以外の機能を有していてもよい。
【００１９】
まず、図１を参照して、レンズ駆動装置１の全体構成を説明する。図１は、レンズ駆動装置１の平面図及び各側面図である。なお、本願の図面では、構造が明確となるよう、一部の構成を省略している。
【００２０】
レンズ駆動装置１は、まず、上部を覆うカバー（図示せず）と、下部を覆うボトムカバー（図示せず）と、を備えている。そして、レンズ駆動装置１は、図示しないカバー及びボトムカバーの内部に、レンズ（図示せず）を装備したレンズバレル２１と、レンズバレル２１の周囲を囲って当該レンズバレル２１を収容するハウジング２２と、を備えている。加えて、レンズ駆動装置１は、ハウジング２２に対してレンズバレル２１をレンズの光軸方向に沿って稼働させる２つの第１のボイスコイルモータ４３〜４５と、ハウジング２２に対するレンズバレル２１の可動をガイドする第１のガイド機構４１，４２を備えている。なお、主に、第１のボイスコイルモータ４３〜４５と第１のガイド機構４１，４２とにより、レンズのオートフォーカス機能が実現される。
【００２１】
また、上記ハウジング２２はレンズの下部面側でボトムカバー（図示せず）に支持されており、レンズ駆動装置１は、ボトムカバーに対してハウジング２２をレンズの光軸方向に対する垂直方向に稼働させる第２のボイスコイルモータ５１，５２を備えている。加えて、レンズ駆動装置１は、ハウジング２２とボトムカバーとの間に配置され、第２のボイスコイルモータ５１，５２に対するハウジング２２の可動をガイドする第２のガイド機構（図示せず）と、ハウジング２２とボトムカバーとを連結する連結バネ（図示せず）と、を備えている。なお、主にこれらの構成により、レンズの振れ補正機能が実現される。
【００２２】
さらに、レンズ駆動装置１は、ＦＰＣ（Flexible Printed Circuits）（図示せず）や、その他の構成を備えている。以下、各構成について説明する。
【００２３】
まず、上記レンズバレル２１は、図１に示すように、外形が略矩形形状に形成されている。そして、レンズバレル２１の中心には、レンズを収容するレンズ収容孔が形成されている。
【００２４】
次に、レンズのオートフォーカス機能を実現する、第１のボイスコイルモータについて説明する。レンズバレル２１の側面のうち、略矩形の隣り合う２辺付近に、第１のボイスコイルモータを構成するマグネット４３ａ，４３ｂがそれぞれ配置される。また、当該マグネット４３ａ，４３ｂ（磁石）に対向して、第１のボイスコイルモータを構成するコイル４４ａ，４４ｂ及びヨーク４５ａ，４５ｂがハウジング２２に配置される。このように、オートフォーカス機能を実現する第１のボイスコイルモータは、略矩形の隣り合う２辺箇所にそれぞれ設けられている。
【００２５】
また、上記２つの第１のボイスコイルモータ４３〜４５が配置される略矩形のレンズバレル２１の隣り合う２辺で挟まれる角位置には、メインガイド部が設けられている。具体的に、上記２つの第１のボイスコイルモータ４３〜４５で挟まれたレンズバレル２１の角位置には、メインガイド部を構成する第１のガイドボール保持部が形成されている。第１のガイドボール保持部は、レンズの光軸方向に沿う溝で形成されており、かかる溝は、形成されている角位置を通る対角線上の外側に開口している。そして、第１のガイドボール保持部は、メインガイド部を構成する球体のメインガイドボール４１を回転可能なよう保持する。なお、メインガイドボール４１は、後述するハウジング２２の内側面に形成されたメインガイド部を構成する凹状の第１のガイドボール支持部に押し付けられて支持される。これにより、メインガイドボール４１は、第１のガイドボール保持部である溝内で回転することとなり、これに伴い、レンズバレル２１は、メインガイドボール４１にガイドされてレンズの光軸方向に沿って可動することとなる。なお、メインガイドボール４１の数はいくつであってもよい。
【００２６】
また、上記第１のガイドボール保持部が形成されたレンズバレル２１の角位置に対して対角線上に位置する他の角位置には、サブガイド部が設けられている。具体的に、まずレンズバレル２１の当該角位置には、サブガイド部を構成する、保持機構６１及びサブガイドボール４２を備えている。上記保持機構６１は、レンズバレル２１の外周の上述した角位置に連結し、当該角位置から、ハウジング２２の内側の角位置に向かって延びるよう構成されている。具体的に、保持機構６１は、図２，３に示すように、レンズバレル２１の外周に連結した基部６１ａと、当該基部６１ａからさらに延び、レンズの光軸方向に沿って並列に位置する２本の梁部材からなる保持部６１ｂと、からなる。保持部６１ｂは、２本の梁部材の間にサブガイドボール４２を挟んで保持する。このとき、保持部６１ｂの２本の梁部材の間に位置する保持面は、図３に示すように凹状に形成されており、サブガイドボール４２を点又はわずかな面積で接触して保持している。そして、保持部６１ｂの２本の梁部材は、サブガイドボール４２が光軸方向に回転して移動可能であり、かつ、２本の梁部材の長手方向に沿って移動可能なよう、当該サブガイドボール４２を保持している。
【００２７】
そして、上記保持機構６１及びサブガイドボール４２が設けられたレンズバレル２１の角位置に対向するハウジング２２の角位置には、上記保持部６１ｂ及びサブガイドボール４２を収容する、サブガイド部を構成する凹部６３が形成されている。具体的に、凹部６３は、ハウジング２２の内側の角位置に、レンズの光軸方向に沿って溝状に形成されている。そして、凹部６３の開口部６４は、その内部空間よりも断面積が狭く形成されている。これにより、図２に示すように、凹部６３には、保持部６１ｂの先端側は内部に挿入可能であるが、当該保持部６１ｂ内で保持されるサブガイドボール４２は、凹部６３の狭く形成されている開口部６４にて内部側に係止された状態となり、凹部６３の内部から外に飛び出ないようになっている。
【００２８】
また、図２及び図３に示すように、保持機構６１の基部６１ａには、磁石６２が配置されている。つまり、上述したハウジング２２に形成された凹部６１に挿入されずに、当該凹部６１よりもレンズバレル側に位置している保持部６１ｂの根本付近に位置する基部６１ａに、磁石６２が配置されている。これに伴い、サブガイドボール４２は、磁石に引き寄せられる鉄などの磁性体にて構成されている。これにより、サブガイド部では、保持機構６１によってハウジング２２内の収容されたサブガイドボール４２が、常にレンズバレル側に引きよれられることとなり、凹部６３の開口部付近の内壁に当接した状態となる。このとき、サブガイドボール４２は、凹部６３内においてレンズの光軸方向に沿って回転するよう保持されているため、レンズバレル２１はレンズの光軸方向に沿って可動可能である。
【００２９】
以上のように、本実施形態におけるオートフォーカス機能を実現する第１のボイスコイルモータ４３〜４５は、略矩形のレンズバレル２１の隣り合う２辺にそれぞれ配置されており、各マグネット４３ａ，４３ｂが各ヨーク４５ａ，４５ｂに磁力で引き寄せられる。つまり、２つの第１のボイスコイルモータ４３〜４５には、図４に示す磁力が生じているため、レンズバレル２１にはこれらの合力がかかっている。このため、レンズバレル２１が、メインガイドボール４１を対角線上に沿って角部方向に押し付ける力が付勢される。
【００３０】
このとき、メインガイドボール４１の対角線上における反対側の角に位置するサブガイドボール４２は、凹部６３内で開口部６４に係止されつつ、図４の矢印に示すように、磁石６２によって対角線上に沿ってメインガイドボール４１方向に引き寄せられている。これに加えて、磁石６２が搭載されている保持機構６１は、レンズバレル２１と一体化しているため、メインガイドボール４１方向に引き寄せられている。このため、レンズバレル２１が、サブガイドボール４２等のサブガイド部の機構を介して、ハウジング２２をメインガイドボール４１側に引っ張る力が付勢される。
【００３１】
すると、レンズバレル２１は、メインガイドボール４１及びサブガイドボール４２を介して、ハウジング２２に対して隙間なく接触した状態であり、がたつきが生じることを抑制することができる。すると、ハウジング２２内における光軸に対する垂直方向への移動が規制され、姿勢が安定する。その結果、光軸がぶれずに安定したオートフォーカス動作を実現することができる。
【００３２】
なお、第１のボイスコイルモータ４３〜４５のマグネット４３ａは、図５（ａ）に示すように、レンズバレル２１側の上下にＮ極とＳ極が着磁されている。かかる構成でコイル４４ａに電流を流すことによって、レンズバレル２１をレンズの光軸方向に沿って可動させる駆動力が生じる。具体的には、コイル４４ａに電流を流すと、かかる電流の向きと、マグネット４３ａからコイル４４ａを通過する磁束と、により、フレミングの左手の法則に従って、レンズバレルはレンズの光軸方向（Ｚ軸方向）に沿って往復駆動される。これにより、オートフォーカス動作を実現できる。
【００３３】
次に、レンズの振れ補正機能を実現する構成である、第２のボイスコイルモータ５１，５２について説明する。第２のボイスコイルモータは、２つのボイスコイルモータ５１，５２によって構成されており、レンズバレル２１を収容するハウジング２２自体を、ボトムカバーに対して可動する。このとき、２つのボイスコイルモータ５１，５２は、図１に示すように、略矩形であるレンズ駆動装置１Ａの外周を形成する４つの辺のうち、上述した第１のボイスコイルモータ４３〜４５が配置されている２辺とは異なる、相互に隣り合う２辺付近にそれぞれ配置されている。つまり、２つのボイスコイルモータ５１，５２は、相互に直交する２辺付近に、それぞれ配置されている。
【００３４】
そして、一方のボイスコイルモータ５１は、図１における上側に位置する辺付近に設けられており、上下方向にハウジング２２を可動する。また、他方のボイスコイルモータ５２は、図１における右側に位置する辺付近に設けられており、左右方向にハウジング２２を可動する。このように、２つのボイスコイルモータ５１，５２は、レンズの光軸方向に対する垂直面上において、相互に直交する２つの直線方向にそれぞれ可動する。
【００３５】
具体的に、一方のボイスコイルモータは、ハウジング２２の下面に配置されたマグネット５１と、当該マグネット５１に対応してボトムカバーに設置されたコイル（図示せず）と、により構成されている。同様に、他方のボイスコイルモータは、図５（ｂ）に示すように、ハウジング２２の下面に配置されたマグネット５２と、当該マグネット５２に対応してボトムカバーに設置されたコイル５２ｂと、により構成されている。そして、図１に示す符号５１のマグネットで構成される一方のボイスコイルモータは、当該マグネット５１に対応するコイル（図示せず）に電流を流すことで、レンズの光軸方向に対する垂直面上における一の直線方向（Ｙ軸方向）に沿った可動を行う。また、符号５２のマグネットで構成される他方のボイスコイルモータは、当該マグネット５２に対応するコイル５２ｂに電流を流すことで、レンズの光軸方向に対する垂直面上における上記一の直線方向に直交する他の直線方向（Ｘ軸方向）に沿った可動を行う。
【００３６】
このように、本発明におけるレンズ駆動装置１は、第１のボイスコイルモータ４３〜４５でレンズの光軸方向の可動を実現でき、第２のボイスコイルモータ５１，５２でレンズの光軸方向に対する垂直方向の可動を実現することができる。そしてこのとき、第１のボイスコイルモータ４３〜４５によって生じる磁力にて、レンズバレル自体のがたつきを防止でき、光軸がぶれずに安定したオートフォーカス動作を実現することができる。
【００３７】
なお、本実施形態におけるレンズ駆動装置１は、上述した第２のボイスコイルモータ５１，５２を、レンズの光軸方向に対する垂直方向の可動を実現する構成として例示したが、かかる垂直方向への可動を実現する構成はいかなる構成であってもよい。
【００３８】
＜実施形態２＞
次に、本発明の第２の実施形態を、図６乃至図７を参照して説明する。本発明におけるカメラモジュールは、２つのカメラを備えて構成されたデュアルカメラである。このため、カメラモジュールは、上述した実施形態１において説明したレンズ駆動装置１を、２つ備えている（符号１Ａ，１Ｂ）。
【００３９】
２つのレンズ駆動装置１Ａ，１Ｂでデュアルカメラを構成する際に、これらレンズ駆動装置１Ａ，１Ｂは、相互に隣接して配置されている。例えば、各レンズ駆動装置１Ａ，１Ｂは、それぞれ外形が略正方形に形成されており、そのうち外周の１辺が相互に平行に隣接して配置される。なお、各レンズ駆動装置１Ａ，１Ｂの外形は、正方形であることに限定されず、長方形であってもよく、略矩形に形成されている。
【００４０】
そして、本実施形態では、デュアルカメラを構成する上述した２つのレンズ駆動装置１Ａ，１Ｂは、図６や図７のように配置されている。なお、図６，７では、レンズ駆動装置１Ａ，１Ｂの構成として、上記実施形態１で説明したレンズの振れ補正機能を実現する構成である第２のボイスコイルモータ５１，５２のマグネット５１，５２のみを図示する。つまり、本実施形態では、第２のボイスコイルモータのマグネット５１，５２の配置が重要となる。
【００４１】
本実施形態における２つのボイスコイルモータ５１，５２は、上述したように略矩形であるレンズ駆動装置１Ａの外周を形成する４つの辺のうち、相互に隣り合う２辺付近にそれぞれ配置されている。そして、本実施形態では、レンズ駆動装置１Ａ，１Ｂ同士が隣接して位置する辺に、２つのボイスコイルモータを構成する各マグネット５１，５２が位置しないよう配置することが望ましい。
【００４２】
具体的に、図６（ａ）の例では、左側に位置する一方のレンズ駆動装置１Ａは、外周の左辺付近と上辺付近にマグネット５１，５２が位置するよう配置され、右側に位置する他方のレンズ駆動装置１Ｂは、右辺付近と下辺付近にマグネット５１，５２が位置するよう配置される。このように、各レンズ駆動装置１Ａ，１Ｂの振れ補正機能を構成するマグネット５１，５２が、当該レンズ駆動装置１Ａ，１Ｂ同士が隣接して位置する辺の中央付近を対称点とした点対称に位置するよう配置される。これにより、レンズ駆動装置１Ａ，１Ｂ同士が隣接する位置に２つのマグネット５１，５２が位置しないため、磁気干渉を抑制することができる。
【００４３】
また、図６（ｂ）の例では、左側に位置する一方のレンズ駆動装置１Ａは、外周の左辺付近と上辺付近にマグネット５１，５２が位置するよう配置され、右側に位置する他方のレンズ駆動装置１Ｂは、上辺付近と右辺付近にマグネット５１，５２が位置するよう配置される。このように、各レンズ駆動装置１Ａ，１Ｂの振れ補正機能を構成するマグネット５１，５２が、当該レンズ駆動装置１Ａ，１Ｂ同士が隣接して位置する辺を対称軸とした線対称に位置するよう配置される。これにより、レンズ駆動装置１Ａ，１Ｂ同士が隣接する位置に２つのマグネット５１，５２が位置しないため、磁気干渉を抑制することができる。
【００４４】
また、本実施形態では、デュアルカメラを構成する上述した２つのレンズ駆動装置１Ａ，１Ｂは、図７（ａ），（ｂ）に示すように、レンズ駆動装置１Ａ，１Ｂ同士が隣接して位置する辺に、２つのボイスコイルモータを構成する各マグネット５１，５２のいずれか一方が位置しないよう配置されていてもよい。
【００４５】
具体的に、図７（ａ）の例では、左側に位置する一方のレンズ駆動装置１Ａは、外周の左辺付近と上辺付近にマグネット５１，５２が位置するよう配置され、右側に位置する他方のレンズ駆動装置１Ｂは、下辺付近と左辺付近にマグネット５１，５２が位置するよう配置されている。このように、１つのレンズ駆動装置１Ｂのマグネット５２が各レンズ駆動装置１Ａ，１Ｂ間に位置していたとしても、磁気干渉を抑制することができる。
【００４６】
また、図７（ｂ）の例では、左側に位置する一方のレンズ駆動装置１Ａは、外周の左辺付近と上辺付近にマグネット５１，５２が位置するよう配置され、右側に位置する他方のレンズ駆動装置１Ｂは、左辺付近と上辺付近にマグネット５１，５２が位置するよう配置されている。このように、１つのレンズ駆動装置１Ｂのマグネット５２が各レンズ駆動装置１Ａ，１Ｂ間に位置していたとしても、磁気干渉を抑制することができる。
【００４７】
なお、図８（ａ），（ｂ）の例は、上述した図６，７の本実施形態の構成との比較例である。図８（ａ），（ｂ）に示すように、各レンズ駆動装置１Ａ，１Ｂの振れ補正機能を構成するマグネット５１，５２が、当該レンズ駆動装置１Ａ，１Ｂ同士が隣接して位置する辺に位置する場合には、これらマグネット５１，５２により磁気干渉を生じうる。このため、上述した図６，７の配置が望ましい。
【００４８】
ここで、レンズ駆動装置１Ａ，１Ｂ同士が隣接して位置する辺には、オートフォーカス機能を実現するための第１のボイスコイルモータのマグネット４３ａ，４３ｂの少なくとも一方が位置することとなる。つまり、図６の例では、第１のボイスコイルモータのマグネット４３ａ，４３ｂが隣接して位置することとなり、図７の例では、１つの第１のボイスコイルモータのマグネット（４３ａ又は４３ｂ）と、第２のボイスコイルモータの１つのマグネット（５１又は５２）と、が隣接することとなる。しかしながら、オートフォーカス用の第１のボイスコイルモータは、マグネット４３ａ，４３ｂの外側にヨーク４５ａ，４５ｂを備えている。このため、上述したように相互に隣接するマグネット同士の磁気干渉を抑制することができる。
【００４９】
以上のように、図６、図７に示す本発明のカメラモジュールによると、デュアルカメラを構成する各レンズ駆動装置の振れ補正機能を実現させるためのボイスコイルモータが相互に隣接して配置されることがないため、磁気干渉を抑制できる。その結果、レンズ駆動装置の振れ補正機能の低下を抑制することができる。
【００５０】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００５１】
１，１Ａ，１Ｂ  レンズ駆動装置
２１  レンズバレル
２２  ハウジング
４１，４２  ガイドボール
４３ａ，４３ｂ  第１の駆動機構を構成するマグネット
４４ａ，４４ｂ  第１の駆動機構を構成するコイル
４５ａ，４５ｂ  第１の駆動機構を構成するヨーク
５１，５２  第２の駆動機構を構成するマグネット
６１  保持機構
６１ａ  基部
６１ｂ  保持部
６２  磁石
６３  凹部
６４  開口部
【図１】
2019113638.tif 000003
【図２】
2019113638.tif 000004
【図３】
2019113638.tif 000005
【図４】
2019113638.tif 000006
【図５】
2019113638.tif 000007
【図６】
2019113638.tif 000008
【図７】
2019113638.tif 000009
【図８】
2019113638.tif 000010